(57)【要約】【課題】  エンジンのシリンダブロックとその上端側に取り付けられているシリンダヘッドとにタイミングチェーンを覆うチェーンカバーが取り付けられているブロック部材の上側にヘッドカバーガスケットを介してヘッドカバーが締め付け固定される際に、前記複数部材の組み付け物たるブロック部材における組み付け誤差等によってヘッドカバーとのシール面に段差が生じた場合でも、段差の存在による面圧不足を防ぎ、シール性能が損なわれることなく十分なシール性能を発揮できるヘッドカバーガスケットを提供する。【解決手段】  シリンダヘッドの上端側とチェーンカバーの上端側との接合部に対応する部位へ凹凸面部を設け、前記凹凸面部へ不定形ガスケットを配置したことによって課題を解決した。  【選択図】    図３
2006132485.tif 000002
【特許請求の範囲】
【請求項１】
エンジンのシリンダブロックとその上端側に取り付けられているシリンダヘッドとにタイミングチェーンを覆うチェーンカバーが取り付けられたブロック部材と、当該ブロック部材の上側に配置され当該ブロック部材の上端開口を密封するヘッドカバーとの間に介装されるヘッドカバーガスケットであって、
前記シリンダヘッドの上端側とチェーンカバーの上端側との接合部に対応する部位へ凹凸面部を設け、前記凹凸面部へ不定形ガスケットを配置したことを特徴とするヘッドカバーガスケット。
【請求項２】
前記ヘッドカバーガスケットであって、
前記凹凸面部を網目形状、多突没形状あるいは多円形状としたことを特徴とする請求項1のヘッドカバーガスケット。
【発明の詳細な説明】
【技術分野】
【０００１】
本発明は自動車等のエンジンにおける二つの部材間、例えば、シリンダブロックの上端側に取り付けられているシリンダヘッドと、その上側に配置され、当該シリンダヘッドの上端開口部を密封するヘッドカバーとの間に介装されるヘッドカバーガスケットに関する。
【背景技術】
【０００２】
従来から自動車等のエンジンにおける二つの部材間を密封するとき、その両部材間に弾性材からなるガスケットを介在させ、二つの部材を締付け固定し、密着なさしめて密封を図る構造が一般的に採用されている。例えば、エンジンのシリンダブロック上端側に取り付けられているシリンダヘッドの上側にヘッドカバーを配置してシリンダヘッドの上端開口を密封するとき、シリンダヘッドとヘッドカバーとの問に弾性材製のヘッドカバーガスケットを介在させ、シリンダヘッドとヘッドカバーとを締付け、密着なさしめて密封を図る密封構造が一般的に採用されている。
【０００３】
昨今では、エンジンのシリンダブロックとその上端側に取り付けられているシリンダヘッドとにタイミングチェーンを覆うチェーンカバーが取り付けられたブロック部材を、当該ブロック部材の上側にヘッドカバーガスケットを介してヘッドカバーを配置し、当該ブロック部材の上端開口を密封する構造が採用され始めている，
【０００４】
このようにエンジンのシリンダブロックとその上端側に取り付けられているシリンダヘッドとにタイミングチェーンを覆うチェーンカバーが取り付けられたブロック部材の上側にヘッドカバーガスケットを介してヘッドカバーを配置し、当該ブロック部材の上端開口を密封する場合、前記のようにブロック部材が複数部材の組み付け物であるため、取付けに関する公差バラつきにより、シリンダヘッドの上端面の高さとチェーンカバー上端面の高さとの間に段差が生じることがある。この段差が生じるとその面圧が不足するおそれがあり、面圧が不安定になる。
【０００５】
これに対応するため、ヘッドカバーガスケットをボリュームの大きい多肉形状に形成することが多い。
しかし、このようにヘッドカバーガスケットを多肉形状に形成すると、重量が増加してしまう。
【特許文献１】特開平８−１００７０５号公報
【発明の開示】
【発明が解決しようとする課題】
【０００６】
本発明は、シリンダブロックとその上端側に取り付けられているシリンダヘッドとにタイミングチェーンを覆うチェーンカバーが取り付けられているブロック部材と、当該複数部材の組み付け物たるブロック部材の上側に配置され、当該ブロック部材の上端開口を密封するヘッドカバーとの間に介装されるヘッドカバーガスケットにおける前述した課題を解決することを目的としている。
【０００７】
すなわち、エンジンのシリンダブロックとその上端側に取り付けられているシリンダヘッドとにタイミングチェーンを覆うチェーンカバーが取り付けられているブロック部材の上側にヘッドカバーガスケットを介してヘッド力バーが取り付け固定される構造において、前記シリンダヘッドの上端側とチェーンカバーの上端側との接合部に対応する部位へ凹凸面部を形成し、該凹凸面部へ不定形ガスケットを配したことを特徴とする。
前記ブロック部材における組み付け誤差等によってヘッドカバーとのシール面に段差が生じた場合、例えば、シリンダヘッド上端面の高さとチェーンカバー上端面の高さとに段差が生じた場合でも、該段差の存在による面圧変化を防ぎ、シール性能が損なわれることなく充分なシール性能を発揮できるヘッドカバーガスケットを提供することを目的としている。
【課題を解決するための手段】
【０００８】
前記目的を達成するため、この発明は以下に述べるヘッドカバーガスケットを提案する。
【０００９】
特許請求の範囲の請求項１に記載されている本発明のヘッドカバーガスケットは、エンジンのシリンダブロックとその上端側に取り付けられているシリンダヘッドとにタイミングチェーンを覆うチェーンカバーが取り付けられたブロック部材と、当該ブロック部材の上側に配置され当該ブロック部材の上端開口を密封するヘッドカバーとの間に介装されるヘッドカバーガスケットであって、前記シリンダヘッドの上端側とチェーンカバーの上端側との接合部に対応する部位へ凹凸面部を設け、前記凹凸面部へ不定形ガスケットを配置したことを特徴とするものである。
【００１０】
請求項２に記載されている本発明のヘッドカバーガスケットは、前記シリンダヘッドの上端側とチェーンカバーの上端側との接合部に対応する部位へ設けられた前記凹凸面部を、網目形状、多突没形状あるいは多円形状としたことを特徴とするものである。
【発明の効果】
【００１１】
この発明によれば、以下に述べる優れた効果が発揮される。
【００１２】
請求項１に係る発明によれば、エンジンのシリンダブロックとその上端側に取り付けられているシリンダヘッドとにタイミングチェーンを覆うチェーンカバーが取り付けられているブロック部材の上側にヘッドカバーガスケットを介してヘッド力バーが取り付け固定される構造において、前記ブロック部材における組み付け誤差等によってヘッドカバーとのシール面に段差が生じた場合、具体的には、シリンダヘッド上端面の高さとチェーンカバー上端面の高さとに段差が生じた場合でも、段差の存在による面圧不足を防ぎ、シール性能が損なわれることなく十分なシール性能を発揮できるヘッドカバーガスケットを提供できる。
【００１３】
請求項２に係る発明によれば、圧縮にあって不定形ガスケット８の保持性の高いヘッドカバーガスケットを提供できる。
【発明を実施するための最良の形態】
【００１４】
以下、添付図面を参照して本発明の好ましい実施形態を説明する。
【００１５】
図１は本発明のヘッドカバーガスケットのー実施例を表す一部を省略した斜視図である。
【００１６】
本発明のヘッドカバーガスケット４は、図２（ａ）図示のように、エンジンのシリンダブロックｌａとその上端側に取り付けられているシリンダヘッドｌｂとにタイミングチェーンを覆うチェーンカバー２が取り付けられたブロック部材３と、このブロック部材３の上側に配置されブロック部材３の上端開口を密封するヘッドカバー５との問に介装されるものである。
【００１７】
本発明のヘッドカバーガスケット４は、自動車等のエンジン等の二つの部材間を密封する際に両部材間に介装される従来公知のガスケットと同じく、弾性変形量に優れる合成ゴム材などから成形される。例えば、価格的及び成形性に優れる二トリルゴムあるいは耐熱性、耐油性に優れるアクリルゴム、更にはシリコーンゴム、フロロシリコーンゴム、またはフッ素ゴムなどを用いて成形される。
【００１８】
特に昨今は耐熱性が求められるので、アクリルゴム、フッ素ゴム、あるいは水素添加二トリルゴム等を用いて成形することが望ましい。
【００１９】
シリンダブロックｌａとシリンダヘッドｌｂとは、この技術分野で公知のようにして組み合わされており、例えば、両者の間に所定の弾性材料からなるガスケットを介在させ、ボルト等の締め具（不図示）によって締め付け固定されている。
【００２０】
チェーンカバー２は、図２（ａ）図示のように、シリンダブロックｌａ、シリンダヘッドｌｂに対してその側面から取り付けられる。この取付け形態にも従来公知の種々の形態を採用できる。
【００２１】
ブロック部材３と、ヘッドカバー５とは、例えば、図２（ａ）図示の状態で、ヘッドカバー５の下端面に備えられているシール面と、ブロック部材３の上端面、すなわち、シリンダヘッドｌｂの上端面及びチェーンカバー２の上端面との間にヘッドカバーガスケット４を介在させて固定され、こうして、ブロック部材３の上端開口が密封される。
【００２２】
このブロック部材３とヘッドカバー５とのヘッドカバーガスケット４を介在させての固定は、例えば、図２（ｂ）、（ｃ）図示のように、複数の締結ボルト１０で締結して締め付け固定することができる。
【００２３】
図２（ｂ）、（ｃ）は、シリンダヘッドｌｂに複数の締結ボルト１０、ｌ０ａ、ｌ０ａが配備されており、この複数の締結ボルト１０、  ｌ０ａ、ｌ０ａとナット１１とによってヘッドカバー５が縮め付け固定される形態を説明する斜視図である。
【００２４】
なお、図示していないが、ヘッドカバー５がシリンダヘッドｌｂとの間にのみ締結部を備えている図２（ｂ）図示の形態とは異なり、チェーンカバー２の方にも締結ボルト１０が配備されていて、ヘッドカバー５がチェーンカバー２との間でも締結部を備えている締め付け固定形態にされることもある。
【００２５】
前記のようにしてブロック部材３とヘッドカバー５とがヘッドカバーガスケット４を介在させて固定される際に、ヘッドカバーガスケット４は、図１に矢印６、６で示される方向から圧縮される。
【００２６】
本発明のヘッドカバーガスケット４はこの圧縮される方向の面（すなわち、圧縮方向面）の特定の位置に、特定の形態の凹凸面部４ａを備えていることを特徴としている。
【００２７】
本発明のヘッドカバーガスケット４の実施形態において、この凹凸面部４ａが配備されている特定の位置は、前記シリンダヘッドｌｂの上端側とチェーンカバー２の上端側との接合部７に対応する部位の圧縮方向面である。
【実施例１】
【００２８】
図１、図３、図４、及び図５は、前述した本発明のヘッドカバーガスケット４の実施形態における凹凸面部４ａの形態を説明するものである。
【００２９】
図３の形態では、チェーンカバー２の上端側の方がシリンダヘッドｌｂの上端側より低くなっており、この接合部７に対応した箇所へ凹凸面部４ａを配置し、その上に不定形ガスケット８を併用している。
【００３０】
図１、図４及び図５の形態では、凹凸面部４ａの実施例を示しており、図１では前記凹凸面部４ａを形成の容易な網目形状に造形し、図４では凹部あるいは凸部の突没形状を多数千鳥状に配置している。
また、図５の形態では、多数の円形状を配して凹凸面部４ａを構成しており、いずれも成形性に優れ、不定形ガスケット８の保持能力の高い形状となっている。このとき凹部と凸部はそれぞれ単独で用いられても良いし組み合わせて用いられても差し支えない。
【００３１】
かかる実施形態のヘッドカバーガスケット４によれば、組み付け誤差等によってヘッドカバー５とのシール面に段差が生じた場合、具体的には、シリンダヘッドｌｂの上端面の高さとチェーンカバー２の上端面の高さとに接合部７で段差が生じた場合でも、図３図示のように、該段差に対して不定形ガスケット８がその形状に沿って充填され、平面部はヘッドカバーガスケット４の弾性で十分な面圧を確保し満足できるシール性を得ることができる。ここでは不定形ガスケット８の保持が凹凸面部４ａによってなされるもので、圧接状態にあってその凹凸の間隙部にシールするに必要な質量を収容確保する。
【００３２】
このように、シリンダヘッドｌｂと、チェーンカバー２と、ヘッドカバー５とが合わさる三面合わせ部の接合部７などには、不定形ガスケット８（例えば、スリーボンド社製の液体パッキン  商品番号ＴＢ１２１５のように、この技術分野で公知の液体パッキン）が併用される。
【００３３】
以上、本発明の好ましい実施形態を説明したが本発明はかかる実施形態に限定されるものではなく、特許請求の範囲の記載から把握される技術的範囲において種々の形態に変更可能である。
【産業上の利用可能性】
【００３４】
以上詳しく説明した通り、本発明によって、ヘッドカバーとのシール面に段差が生じても、その段差の存在による面圧変化を防ぎ、シール性能が損なわれることなく充分なシール性能を発揮できるヘッドカバーガスケットを提供することができる。
【図面の簡単な説明】
【００３５】
【図１】本発明のヘッドカバーガスケットのー実施例を表す一部を省略した斜視図。
【図２】（ａ）本発明のヘッドカバーガスケットが装着される環境の一例を説明する斜視図、（ｂ）本発明のヘッドカバーガスケットが装着される環境の他の例を説明する一部を省略した斜視図、（ｃ）図２（ｂ）の形態においてヘッドカバーとシリンダヘッドとが締付け固定された状態を説明する一部を省略した断面図。
【図３】シリンダヘッド及びチェーンカバーの上端側と本発明のヘッドカバーガスケットとの配置関係を説明する一部を省略した側面図。
【図４】本発明の他のヘッドカバーガスケットの実施形態を説明する一部を省略した拡大平面図。
【図５】本発明の他のヘッドカバーガスケットの実施形態を説明する一部を省略した拡大平面図。
【符号の説明】
【００３６】
ｌａ    シリンダブロック
ｌｂ    シリンダヘッド
２      チェーンカバー
３        ブロック部材
４      ヘッドカバーガスケット
４ａ    凹凸面部
５      ヘッドカバー
７      接合部
８      不定形ガスケット
９      液体パッキン収容部
１０    締結ボルト
１１    ナット
【図１】
2006132485.tif 000003
【図２】
2006132485.tif 000004
【図３】
2006132485.tif 000005
【図４】
2006132485.tif 000006
【図５】
2006132485.tif 000007